(57)【要約】  本発明は、ボール打ち道具（１）、特にテニス、スカッシュ又はバドミントンのラケットに関するものであって、中空に形成され、かつプラスチックから、特にファイバー強化されたプラスチックから形成された、打撃面を有するヘッドフレーム（２）と、グリップを備えたシャフトとを有し、打撃面（１２）が、クロスして張られた少なくとも１つのストリング（８）によって定められており、前記ストリングが互いに対して実質的に平行にヘッドフレームに固定されたストリング部分を形成し、ヘッドフレーム（２）におけるストリング部分の係止が、保持ブラケット（２０）を介して行われ、前記保持ブラケットがヘッドフレームの内側に、それぞれ打撃面に対して実質的に垂直に延びるように固定されており、それによって保持ブラケット（２０；２３）内に挟持された、ストリング部分の端部（１０）はボールが反跳する際に側方へ変位することができる。ヘッドフレームにおけるストリング部分の係止が保持ブラケットを介して行われ、保持ブラケットがヘッドフレーム内に正確かつ容易に配置され、かつ大量生産方法にも適した、この種のボール打ち道具とそれを形成する方法を提供する目的で、保持ブラケット（２０；２３）が、打撃面（１２）の２つの側の一方へ向かって開放しており、又は打撃面（１２）の２つの側の１つから自由に接近することができ、打撃面を定めるストリングを挟持する。
2017523894.tif 000002
【特許請求の範囲】
【請求項１】
ボール打ち道具（１）、特にテニス、スカッシュ又はバドミントンのラケットであって、
打撃面を有するヘッドフレーム（２）と、該ヘッドフレームに形成されたグリップを有するシャフトと、を備え、
前記ヘッドフレームが中空に形成され、かつプラスチックから、特にファイバー強化されたプラスチックから形成され、
前記打撃面（１２）がクロスして張られた少なくとも１つのストリング（８）によって定められ、該ストリングが互いに対して実質的に平行にヘッドフレームに固定されたストリング部分を形成し、
前記ヘッドフレーム（２）における前記ストリング部分の係止が保持ブラケット（２０）を介して行われ、該保持ブラケットが前記ヘッドフレームの内側に、それぞれ前記打撃面に対して実質的に垂直に延びるように固定され、それによって、前記保持ブラケット（２０；２３）に挟持された前記ストリング部分の端部（１０）はボールが反跳する際に側方へ変位するボール打ち道具（１）において、
前記保持ブラケット（２０；２３）が、前記打撃面（１２）の２つの側の一方へ向かって開放しており、又は前記打撃面（１２）の２つの側の１つから自由に接近できて前記打撃面を定めるストリングが挟持される、ことを特徴とするボール打ち道具。
【請求項２】
前記ストリング部分を前記ヘッドフレームに係止するために、一組の保持ブラケット（２０；２３）が設けられ、
該保持ブラケットが、
前記ヘッドフレームの周方向に第１の予め定められた長さ（Ｌ１）を有する第１の数の保持ブラケットと、
前記ヘッドフレームの周方向に第２の予め定められた長さ（Ｌ２）を有する少なくとも第２の数の保持ブラケットと、
場合によっては、前記ヘッドフレームの周方向に第３、第４及び第５の予め定められた長さ（Ｌ３、Ｌ４、Ｌ５）を有する少なくとも第３、第４及び第５の数の保持ブラケットと、を有することを特徴とする請求項１に記載のボール打ち道具。
【請求項３】
前記保持ブラケット（２０；２３）が前記ヘッドフレーム（２）に固定された状態において、各保持ブラケットが前記ヘッドフレームから張り出すブラケット部分（２４）と、前記ヘッドフレーム（２）の内部に係止された固定部分（２２）とを有している、ことを特徴とする請求項１又は２に記載のボール打ち道具。
【請求項４】
各保持ブラケット（２０）の前記固定部分（２２）が、前記ヘッドフレーム（２）の内部に形状結合及び力結合で係止するために、縦構造（２６）と横構造（２７）を有する、ことを特徴とする請求項３に記載のボール打ち道具。
【請求項５】
特に、請求項１〜４の何れか一項に記載のボール打ち道具であって、
前記ブラケット部分（２４）が一方の側へ向かって開放しており、又は一方の側から自由に接近でき、特にフック形状、好ましくは長円フック形状であり、又は２つの側へ向かって閉鎖され、特にリング形状に形成されているボール打ち道具において、
各保持ブラケット（２０；２３）の前記固定部分（２２）が、前記ヘッドフレーム（２）を定める２つのフレーム半体（４、６）の間に埋め込まれている、ことを特徴とするボール打ち道具。
【請求項６】
前記ヘッドフレーム（２）が、それぞれチューブ形状のプリプレグ（４、６）からなる２つのフレーム半体によって形成されており、前記プリプレグが打撃面（１２）の高さにおいて、前記打撃面（１２）に対してほぼ平行に延びる、二重壁で一周する横ウェブ（４０）を定め、前記保持ブラケット（２０：２３）の固定部分（２２）が、それぞれ２つのチューブ形状の前記プリプレグ（４、６）の、二重壁の横ウェブ（４０）を定める壁部分（４２）の間に埋め込まれ、堅固に係止されている、ことを特徴とする請求項１〜５の何れか一項に記載の、特に請求項５に記載のボール打ち道具。
【請求項７】
前記保持ブラケット（２０；２３）の内側半径（２１）が、０．５〜１．９ｍｍの領域内にある、ことを特徴とする請求項１〜６の何れか一項に記載のボール打ち道具。
【請求項８】
前記ヘッドフレームの周方向における前記保持ブラケット（２０；２３）の長さが、それぞれ５〜３０ｍｍの領域内にあり、特に第１の数の前記保持ブラケットの第１の予め定められた長さ（Ｌ１）が９〜１１ｍｍの領域内にあり、かつ／又は第１の予め定められた長さ（Ｌ１）の前記保持ブラケットの第１の数が１２〜２０、特に１６であり、かつ／又は第２の数の前記保持ブラケットの第２の予め定められた長さ（Ｌ２）が１０〜１１ｍｍの領域内にあり、かつ／又は第２の予め定められた長さ（Ｌ２）の前記保持ブラケットの第２の数が６〜１４、特に１０であって、かつ／又は
第３の数の前記保持ブラケットの第３の予め定められた長さ（Ｌ３）が、１１〜１３ｍｍの領域内にあり、かつ／又は第３の予め定められた長さ（Ｌ３）の前記保持ブラケットの第３の数が２〜１０、特に６であり、かつ／又は
第４の数の前記保持ブラケットの第４の予め定められた長さ（Ｌ４）が１６〜１８ｍｍの領域内にあり、かつ／又は第４の予め定められた長さ（Ｌ４）の前記保持ブラケットの第４の数が２〜８、特に４であり、かつ／又は
第５の数の前記保持ブラケットの第５の予め定められ長さ（Ｌ５）が２０−２２ｍｍの領域内にあり、かつ／又は第４の予め定められた長さ（Ｌ５）の前記保持ブラケットの第４の数が１〜４、特に２である、
ことを特徴とする請求項１〜７の何れか一項に記載のボール打ち道具。
【請求項９】
予め定められた長さの前記保持ブラケット（２０；２３）が、それぞれタイプを定めるために設けられた記号、特に視覚的及び／又は触覚的に認識可能な、あるいは又各他の読み取り可能又は機械的に評価可能な形式で読み取ることができる記号によって特徴づけられており、前記記号が予め定められた長さ（Ｌ１；Ｌ２；Ｌ３；Ｌ４；Ｌ５）の前記保持ブラケットのタイプを表示する、ことを特徴とする請求項１〜８の何れか一項に記載のボール打ち道具。
【請求項１０】
前記保持ブラケット（２０；２３）の自由端部と、前記ヘッドフレーム（２）のそれに向いた部分との間に側方の間隙（Ｓ）が定められており、該間隙の幅が１．０〜２．０ｍｍの領域内に、特に１．５〜１．７ｍｍの領域内にある、ことを特徴とする請求項１〜９の何れか一項に記載のボール打ち道具。
【請求項１１】
前記保持ブラケット（２０；２３）の前側の端部（２９）が面取りされており、前記打撃面を定める前記ストリング（８）がそれぞれ前記端部を介して方向変換されている、ことを特徴とする請求項１〜１０の何れか一項に記載のボール打ち道具。
【請求項１２】
請求項１〜１１の何れか一項に記載のボール打ち道具を形成する方法であって、
ボール打ち道具のヘッドフレーム（２）をその内部で形成する型に対して、保持ブラケット（２０）が、次のように、前記ヘッドフレームを形成する場合に前記保持ブラケット（２０；２３）の固定部分（１４）がそれぞれ前記ヘッドフレーム内へ張り出して、該ヘッドフレームの材料によって包囲されるように位置決めする、ボール打ち道具を形成する方法。
【請求項１３】
第１の、たとえば下方のヘッドフレーム型（５０）内で第１のプリプレグチューブ（４）を位置決めするステップと、
第２の、たとえば上方のヘッドフレーム型（５２）内で第２のプリプレグチューブ（６）を位置決めするステップと、
保持装置（３０）内で正しい位置に保持される保持ブラケット（２０；２３）のための前記保持装置を、上方と下方のヘッドフレーム型の間で、前記保持ブラケット（２０；２３）の固定部分が第１と第２のプリプレグチューブ（４；６）の間へ突出するように位置決めするステップと、
前記保持ブラケットの固定部分（２２）を埋め込みながら、閉鎖された前記ヘッドフレーム型内で前記プリプレグチューブ（４；６）を成形して硬化させるステップと、
前記ヘッドフレーム内側に堅固に係止された前記保持ブラケット（２０；２３）を有する、完成したヘッドフレームを冷却して型から外すステップと、
を有することを特徴とする請求項１２に記載のボール打ち道具を形成する方法。
【請求項１４】
前記保持ブラケット（２０；２３）を有する前記ヘッドフレーム（２）と、グリップ（１６）及び場合によってはスロート（１８）を有するシャフト（１７）と、からなるフレームが、１つの方法ステップによって形成される、請求項１２又は１３に記載のボール打ち道具を形成する方法。
【発明の詳細な説明】
【技術分野】
【０００１】
本発明は、ボール打ち道具、特にテニス、スカッシュ又はバドミントンのラケットに関するものであって、打撃面を備えたヘッドフレームとそれに形成されている、グリップを備えたシャフトとを有し、ヘッドフレームは中空に形成されて、プラスチックから、特にファイバー強化されたプラスチックから形成されており、その場合に打撃面はクロスして張られた少なくとも１つの側によって定められており、その側が、互いに対して実質的に平行にヘッドフレームに固定されたストリング部分を形成し、その場合にヘッドフレームにストリング部分を係止することは、保持ブラケットを介して行われ、その保持ブラケットはヘッドフレームの内側に、それぞれ打撃面に対して実質的に垂直に延びるように固定されており、それによって保持ブラケット内に挟持されたストリング部分の端部はボールが跳ねる場合に側方へ変位することができる。さらに、本発明は、この種のボール打ち道具を形成する方法に関する。
【背景技術】
【０００２】
以下において、「ボール打ち道具」あるいは短い「打ち道具」という概念は、本発明の目的のためには特にテニス、スカッシュ又はバドミントンのラケットを意味している。しかしここでは、概念の意味はこの種のものに限定されるものではなく、打撃面を有し、かつその打撃面がクロスするように張られた少なくとも１つのストリングによって定められる、各種のボール打ち道具に関する。
【０００３】
冒頭で挙げた種類のボール打ち道具は、たとえば特許文献１から知られている。これは、打撃面を備えたヘッドフレームを有し、そのヘッドフレームは中空に形成されて、ファイバー強化されたプラスチックから形成されており、かつそのヘッドフレームにはグリップを備えたシャフトが形成されており、その場合に打撃面はクロスして張られた少なくとも１つのストリングによって定められており、そのストリングが実質的に互いに対して平行にヘッドフレームに固定されたストリング部分を形成している。ヘッドフレームにストリング部分を係止することは、複数のアーチ形状の保持ブラケットを介して行われ、その保持ブラケットはヘッドフレームの内側に、それぞれ打撃面に対して実質的に垂直に延びるようにラミネート固定されており、それによって保持ブラケット内に挟持されたストリング部分の端部はボールが跳ねる場合に側方へ変位することができる。従来技術から知られたこの既知の解決においては、定められた間隔の２つの平行に延びるストリング部分を実現するために、ストリング部分のそれぞれ挟持された端部について２つの保持ブラケットが必要である。プレイ技術的に、既知のラケットはすべての前提を満たす。しかし、保持ブラケットを互いに対して正しく整合させてラミネート固定することは、困難である。さらに、この種のラケットにストリングを張ることは、比較的長い時間がかかる。というのは、ストリングは多数の保持ブラケットをくぐらせて、セクション毎に張らなければならないからである。特に、このラケットにストリングを張ることは、ストリングをヘッドフレームに形成された孔を通して案内する、従来のラケットにストリングを張るよりも、長い時間がかかることが明らかにされている。
【先行技術文献】
【特許文献】
【０００４】
【特許文献１】欧州特許公報第２１６４５７９（Ｂ１）号明細書
【発明の概要】
【発明が解決しようとする課題】
【０００５】
したがって、本発明の課題は、ストリング部分をヘッドフレームに係止することが保持ブラケットを介して行われ、その保持ブラケットが正確かつ容易にヘッドフレーム内に配置され、かつ大量生産方法にも適している、ボール打ち道具とそれを形成する方法を提供することである。
【課題を解決するための手段】
【０００６】
この課題は、本発明によれば、請求項１の特徴を有するボール打ち道具によって、そして方法に関しては請求項１２の主題によって解決される。それによれば、保持ブラケットが打撃面の２つの側の１つへ向かって開放しており、もしくは打撃面の２つの側の１つから自由に接近して打撃面を定めるストリングを挟持する、ボール打ち道具が提供される。
【０００７】
本発明に係る解決は、従来技術から知られたボール打ち道具に対して、多数の本質的な利点を有している。すなわち、打撃面の２つの側の一方へ向かって開放した保持ブラケットにより、又は保持ブラケットが自由に接近でき、打撃面を定めるストリングを挟持することによって、ボール打ち道具のストリングの張りを迅速かつ簡単に行うことができる。さらに、極めて精確なストリングパターンが達成され、それが卓越したプレイ特性を有する。
【０００８】
好ましい展開が、従属請求項に記載されている。
【０００９】
それによれば、ストリング部分をヘッドフレームに係止するために、１セットの保持ブラケットが設けられており、その保持ブラケットは、ヘッドフレームの周方向に第１の予め定められた長さを有する第１の数の保持ブラケット、ヘッドフレームの周方向に第２の予め定められた長さを有する少なくとも第２の数の保持ブラケット及び場合によってはヘッドフレームの周方向に第３、第４及び第５の予め定められた長さを有する少なくとも第３、第４及び第５の数の保持ブラケットを有している。ボール打ち道具は、通常、楕円形状を有し、その２つの大きい半軸上に中心点から始まってそれぞれ最小の予め定められた長さを有する第１の数の保持ブラケットが設けられている。これが、通常、大部分正方形からなるストリングパターンの大きさを定める。ヘッドフレームの楕円形状に基づいて、ヘッドフレームの周方向に異なる長さを有する保持ブラケットが、実質的に等しくかつ正確なストリングパターンを可能にする。同時に、特許文献１から知られているような、複数の保持ブラケットを有する配置が、２つの互いに平行に延びるストリング部分を定めるために、唯一の本発明に係る保持ブラケットで充分であるように、簡略化される。
【００１０】
ストリングは、直接ボールと接触する唯一の材料である。したがってストリングの張りは、ボール打ち道具のコントロール、スピン、パワー、感覚及び快適性を決定する。ストリングの張り強さが大きいと、より多くコントロールを保証するが、より大きい力を必要とする。張りが柔らかくなるにつれて、より少ない苦労でより大きい力とボールの最終速度（パワー）を得ることができる。柔らかいストリング張りは大体において１８−２１ｋｇの間にあり、ノーマルな張りは大体において２２と２５ｋｇの間にあり、硬い張りは大体において２６と２８ｋｇの間にある。多数のストリングパターンが存在し（たとえば１４ｘ１６、１４ｘ１８、１６ｘ１５、１６ｘ１６、１６ｘ１７、１６ｘ１８、１６ｘ１９、１６ｘ２０、１８ｘ１８、１８ｘ１９、１８ｘ２０及び１８ｘ２１、その場合に第１の数字が縦ストリングの数を定め、第２の数字が横ストリングの数を定める）、１６ｘ１９と１８ｘ２０のストリングパターンは、１６ｘ１９が通常、より多くのパワーとスピンを提供し、１８ｘ２０は、ストリングの保ちをながくして、より多くのコントロールを可能にすることにより、区別される。
【００１１】
ヘッドフレームの大きさは、大体においてミッドサイズ（＜９７ｓｑ  ｉｎｃｈ／６２５ｃｍ2）、ミッドプラス（９８−１０５ｓｑ  ｉｎｃｈ／６３０−６７５ｃｍ2）、オーバーサイズ（１０６−１１５  ｓｑ  ｉｎｃｈ／６８０−７４０ｃｍ2）及びスーパーオーバーサイズ（＞１１６ｓｑ  ｉｎｃｈ／７５０ｃｍ2）のクラスにある。ヘッドフレームの大きさに従って、ストリングの数と張りの種類を変化させることができる。本発明の主旨においては、保持ブラケットの数と使用される幅は、ヘッドフレーム幾何学配置に依存し、特にそれに適合されている。
【００１２】
好ましくは、本発明に基づいて使用される保持ブラケットは、それぞれヘッドフレームに固定された状態において、そのヘッドフレームから張り出すブラケット部分とヘッドフレームの内部に係止される固定部分とを有している。張り出すブラケット部分は、張る場合にストリングを容易かつ精確に引っかけるために用いられる。ヘッドフレームの内部に位置する固定部分は、ヘッドフレーム内に保持ブラケットを確実に係止する利点を提供する。
【００１３】
固定部分の係止と、保持ブラケットの負荷能力をさらに改良するために、各保持ブラケットの固定部分は、ヘッドフレームの内部に形状結合と力結合で係止するための縦及び横構造を有している。「縦及び横構造」は、固定部分が、たとえばヘッドフレーム内へ延びる縦部分を有し、その縦部分に横ウェブ又は横突出部が形成されていることを、意味している。ブラケット部分の形成に関係なく、たとえば一方側へ向かって開放しているか、もしくは一方の側から自由に接近できるか、特にフック形状であり、好ましくは長円−フック形状であり、あるいは両側へ向かって閉鎖されており、特にリング形状であるか、に関係なく、各保持ブラケットの固定部分は、ヘッドフレームを定める２つのフレーム半体の間に埋め込まれている。これは、予め形成されている半製品を使用することによって、ヘッドフレームが普通の手段によって迅速かつ簡単に形成可能となる利点を提供する。然るべく埋め込むことによって、保持ブラケットがヘッドフレーム内に永続的に保つように係止され、その係止は繰り返される高い負荷にも容易に耐える。
【００１４】
好ましくは、ヘッドフレームは、フレーム半体を定める２つのチューブ形状のプリプレグ（ｐｒｅｐｒｅｇ）によって形成されており、そのプリプレグはほぼ打撃面の高さにおいて、打撃面に対してほぼ平行に二重壁で一周して延びる横ウェブを定め、その場合に保持ブラケットの固定部分はそれぞれ、２つのチューブ形状のプリプレグの、二重壁の横ウェブを定める壁部分の間に埋め込まれ、したがって堅固に係止されている。それによって簡単なやり方で、保持ブラケットがヘッドフレーム内に力結合と形状結合で係止される。プリプレグが膨らむ場合に、このプリプレグが保持ブラケットの固定部分に形状結合で添接する。この形状結合は、硬化によって固定されるので、ヘッドフレーム内に保持ブラケットが長寿命かつ抵抗可能に係止される。
【００１５】
保持ブラケットの内側半径が０．５から１．９ｍｍの領域内に、特に０．５から１．０の領域内にあると、プレイ技術的に好ましいことが明らかにされている。この半径は、通常使用されるストリングの直径に適合されているので、保持ブラケットに挟持された、ストリング部分の端部はボールが跳ねる場合に側方へ変位することができ、かつ変位プロセスの間のストリングの摩擦による著しい損耗が回避される。さらに、保持ブラケットの表面のストリングへ向いた側が、ストリングと協働する保持ブラケットの表面の摩擦係数を減少させる表面加工方法によって処理されることも、考えることができる。
【００１６】
好ましくは、第１の数の保持ブラケットの第１の予め定められた長さ（Ｌ１）は、９−１１ｍｍの領域内にあり、かつ／又は第１の予め定められた長さ（Ｌ１）の保持ブラケットの第１の数が１２から２０、特に１６であり、かつ／又は第２の数の保持ブラケットの第２の予め定められた長さ（Ｌ２）が１０−１１ｍｍの領域内にあり、かつ／又は第２の予め定められた長さ（Ｌ２）の保持ブラケットの第２の数が６から１４、特に１０であって、第３の数の保持ブラケットの第３の予め定められた長さ（Ｌ３）が１１−１３ｍｍの領域内にあり、かつ／又は第３の予め定められた長さ（Ｌ３）の保持ブラケットの第３の数が２から１０，特に６であって、かつ／又は第４の数の保持ブラケットの第４の予め定められた長さ（Ｌ４）が１６−１８ｍｍの領域内にあり、かつ／又は第４の予め定められた長さ（Ｌ４）の保持ブラケットの第４の数が２から８、特に４であり、かつ／又は第５の数の保持ブラケットの第５の予め定められた長さ（Ｌ５）が２０−２２ｍｍの領域内にあり、かつ／又は第４の予め定められた長さ（Ｌ５）の保持ブラケットの第４の数が１から４、特に２である。このように形成された保持ブラケットによって、所望のストリングパターンを達成するために、ストリングパターンがヘッドフレームの付与形状にできる限り良好に適合され、そのヘッドフレームは、通常ある程度はっきりと楕円形状に形成することができる。さらにそれによって、メイン打撃領域（Ｓｗｅｅｔ−Ｓｐｏｔ）の内部に精確な矩形のストリングパターンが形成される。メイン打撃領域はストリングパターンの、張りが実質的に同一もしくは均一に定められたストリング正方形によって定められる領域である。この領域の外部では、クロスして張り渡されたストリング部分がそれぞれ多かれ少なかれ長い矩形フィールドを形成する。
【００１７】
本発明に係るラケットを形成する場合に、特により大きい個数のために、このラケットを機械的又は部分機械的な方法で形成すると好ましい場合がある。そのために、予め定められた長さの保持ブラケットが、それぞれタイプを定める目的で設けられた記号、特に視覚的及び／又は触覚的に認識可能又は各他の読み取り可能又は機械的に評価可能な形式で読み取ることのできる記号によって特徴づけられており、その記号は、予め定められた長さ（Ｌ１；Ｌ２；Ｌ３；Ｌ４；Ｌ５）のタイプを表す。しかしこれは、手動で加工する場合、及び特に保持ブラケットのための保持装置を設ける場合に効果的であり得る。というのは、保持装置にそれぞれの位置に設けられた保持ブラケットをより迅速に、目的に合わせて搭載することが可能になるからである。保持ブラケットの位置決めを容易にするために、保持ブラケットは好ましくはまず、挿入装置内へ挿入され、その後挿入装置と共に、保持ブラケットのための保持装置に対して位置決めされてから、次に保持ブラケットがそれぞれそのブラケット部分の領域において保持装置の内部に固定される。挿入装置によって、保持ブラケットを保持装置内に固定する場合にその保持ブラケットがその予め定められた位置を変化させ、たとえばずれることが、回避される。
【００１８】
本発明によれば、保持ブラケットとヘッドフレームの間に側方の間隙（Ｓ）が形成され、その場合にこの間隙の幅は１．０〜２．０ｍｍの領域内に、特に１．５〜１．７ｍｍの領域内にある。この間隙は、ストリングを側方に挟持することを許し、かつストリングを張るために問題なく保持ブラケットのブラケット部分に引っかけることができるように、寸法設計されている。
【００１９】
さらに、打撃面を定めるストリングをそれぞれ方向変換させる、保持ブラケットの端部が、面取りされることが可能であって、それによってプレイ駆動におけるストリングの損耗又は損傷が排除され、かつラケットのプレイ特性がさらに改良される。
【００２０】
さらに、本発明によれば、ボール打ち道具を形成する方法も提供され、それにおいて保持ブラケットが、ボール打ち道具のヘッドフレームをその内部で形成する型に対して、ヘッドフレームを形成する場合に保持ブラケットの固定部分がそのヘッドフレーム内へ張り出し、かつその材料によって包囲されるように、位置決めされる。この種の方法は、ヘッドフレームをその内部に係止された保持ブラケットと共に迅速かつ簡単に形成する利点を提供する。その場合にヘッドフレームは射出成形から、特にファイバー強化されたプラスチックを使用しても、形成することができる。
【００２１】
本発明に係る方法が以下の方法ステップを有していると、効果的である。すなわち、
第１のプリプレグチューブを第１の、たとえば下方のヘッドフレーム型内で位置決めするステップと、
第２のプリプレグチューブを第２の、たとえば上方のヘッドフレーム型内で位置決めするステップと、
保持装置内の正しい位置に保持される保持ブラケットのためのその保持装置を、上方と下方のヘッドフレーム型の間で次のように、すなわち固定部分を定める保持ブラケットが第１と第２のプリプレグチューブの間の間隙内へ張り出すように、位置決めするステップと、
閉鎖されたヘッドフレーム型内で、保持ブラケット固定部分を埋め込みながらプリプレグチューブを成形して硬化させるステップと、
フレーム内側に堅固に係止されている保持ブラケットを有する、できあがったヘッドフレームを型から外して冷却するステップと、である。
【００２２】
したがって、優れたプレイ特性を有するストリングの張りを形成するための、極めて精確に配置され、特に均一に方向付けされた保持ブラケットを有するボール打ち道具が、迅速かつ簡単に形成される。保持ブラケットは、プリプレグチューブが膨らむ場合に、かつ成形プロセスの間に高い力の作用を受ける。その場合に保持装置は、保持ブラケットが形成すべきヘッドフレームに対するその定められた位置を維持することを保証する。それによって、製造プロセスにおける不良品は、大幅に回避される。保持ブラケットの予め定められた位置と方向付けは、従来技術に比較して常に保証されている。これに関して、特に、挿入装置に保持ブラケットを装着することが役立ち、その挿入装置によって上述した保持装置の内部の保持ブラケットの確実かつ正確な位置決めが可能であり、保持装置内に保持ブラケットを固定する場合に保持ブラケットがその位置を変化させる危険はない。
【００２３】
ヘッドフレームとその中に配置された保持ブラケット、グリップを有するシャフト及びそれらの間に配置されたスロートを有するボール打ち道具を形成するために、さらに、保持ブラケットを有するヘッドフレーム及びグリップを有するシャフト並びにスロートからなるフレームが１つの方法ステップで形成される、ボール打ち道具を形成する方法が提供される。
【００２４】
本発明の他の詳細及び利点を、図に示す実施例を用いて詳細に説明する。
【図面の簡単な説明】
【００２５】
【図１】成形型内部の本発明に係るボール打ち道具のヘッドフレームを、拡大した縮尺で示す横断面図である。
【図２】ボール打ち道具、すなわちテニスラケットの、本発明に基づいて形成された実施例を示す上面図である。
【図３】ヘッドフレーム内に埋め込まれた保持ブラケットを詳細に示す上面図である。
【図４】予め定められた長さＬが異なる２つの保持ブラケットをそれぞれ斜視図、上面図及び側面図で示している。
【図５】図４に基づく保持ブラケットの例をそれぞれ拡大して示す斜視図、上面図及び側面図である。
【図６】保持ブラケットのための保持装置の下部を示す斜視図である。
【図７】保持ブラケットのための取り付け済みの保持装置を示す斜視図である。
【図８】保持ブラケットのための位置決めされた保持装置を有する本発明に係るボール打ち道具を形成するための下方の型半体を示す斜視図である。
【図９】上方の型半体を取り去った後に、下方の型半体内にある、保持装置を有するボール打ち道具を示す斜視図である。
【図１０】横ウェブの内部に埋め込まれた半長円形状の保持ブラケットを有するヘッドフレームの代替的な実施形態を示す横断面図である。
【図１１】保持ブラケットを位置決めするための挿入装置を示す斜視図である。
【発明を実施するための形態】
【００２６】
図には、本発明を直接理解するために重要な部材のみが示されている。
【００２７】
図１は、成形型内の本発明に係るボール打ち道具１のヘッドフレーム２の横断面Ａ−Ａを示している。その場合に保持ブラケット２０がヘッドフレーム２の２つの半体４、６の間に埋め込まれている。ヘッドフレーム２は、それぞれ２つのチューブ形状のプリプレグ４、６からなる、２つのフレーム半体４、６によって形成されている。ほぼ打撃面１２の高さにおいて、断面は、打撃面１２に対してほぼ平行に延びる、一周する二重壁の横ウェブ４０を示している。保持ブラケット２０は、位置決めするために上方の保持工具３４と下方の保持工具３２の間に保持される。上方と下方の保持工具３２、３４が、保持装置３０を形成している。保持装置３０は、１つもしくは複数の保持ブラケット２０を上方のヘッドフレーム型５２と下方のそれ５０との間で、保持ブラケット２０の固定部分２２が２つのプリプレグチューブ４、６の間の領域内に封じ込められるように、正しい位置に保持するために用いられる。その後２つのプリプレグチューブ４、６が上型５２と下型５０の間で圧力と熱を供給されて、成形されて硬化される。保持ブラケット２０の固定部分２２はそれぞれ２つのチューブ形状のプリプレグ４、６の二重壁の横ウェブ４０を定める壁部分４２の間に埋め込まれて、堅固に係止される。もちろん、２つのプリプレグ４、６の２つの壁部分４２は、ヘッドフレームを形成する際に溶融して材料の統一された横ウェブ４０となり、その場合に保持ブラケットの固定部分２２は、そのときすでに材料の統一されているこの保持ウェブ４０内に堅固に埋め込まれて、係止される。
【００２８】
すでに上で述べたように、各保持ブラケット２０は、ヘッドフレーム２内に埋め込まれる固定部分２２を有している。固定部分２２は、実質的に縦構造２６と横構造２７からなる。各固定部分２２の縦構造と横構造２６、２７の交点には、タイプを定めるために取り付けられる記号１４−図１においては数字の「２」−が設けられている。タイプを定めるために取り付けられる記号１４は、ヘッドフレームの周方向における保持ブラケット２０のタイプもしくは長さ（Ｌ１からＬ５）に相当する。取り付けられた記号は、実質的に、識別し、かつ後に保持装置３０内で位置決めするために用いられる。そのために多数の保持ブラケット２０が保持装置３０内に固定されて、次に第１の下方のヘッドフレーム型５０内で第１のプリプレグチューブ４上に位置決めされる。次に型５０、５２が閉鎖されて、それによって保持ブラケット２０が、ヘッドフレーム２を形成する第１と第２のプリプレグチューブ４、６の間に位置決めされる。次に、閉鎖されたヘッドフレーム型内で圧力と熱を供給しながらプリプレグチューブ４、６の成形と硬化が行われ、それによって保持ブラケット２０の固定部分２２が、プリプレグチューブ４、６から形成される２つのヘッドフレーム半体の間に力結合及び形状結合で埋め込まれる。冷却後に、できあがったヘッドフレーム２は、フレーム内側に堅固に係止された保持ブラケット２０と共に型から外すことができる。
【００２９】
図２は、本発明に係る実施例のボール打ち道具１を上面で示している。ラケット１は、実質的に、ヘッドフレーム２と、ヘッドフレーム２内において打撃面１２を定める（多数の交差するストリング部分から形成される）ストリング面と、ラケットシャフト１７からなり、そのラケットシャフトはグリップ１６といわゆるスロート１８を有し、そのスロートを介してシャフトがヘッドフレームと結合されている。シャフト１７から出てフォーク状に分かれる２つのウェブ又はプリプレグチューブ４、６（図１を参照）から形成されるスロート１８は、シャフト１７及びヘッドフレーム２と共に一体的なラケット１を形成する。外側へ向かって閉鎖された中空の輪郭を有する、図示される実施形態は、スポーツ道具の意図的な適用領域に適した材料から、たとえばファイバー強化されたプラスチックからなる。打撃面１２は、ストリング８（図３を参照）から形成され、そのストリングは、予め定められた張力をもってヘッドフレーム２に保持される。通常、ストリングはストリング装置によってフレームに固定されて、張られる。打撃面１２は、メイン打撃領域１３の内部に、実質的に同一の正方形からなる市松模様のストリングパターンを有している。本発明に従って形成されるラケットの目的は、保持ブラケット２０（図１を参照）を位置決めする際の高い精度であるので、上述したストリングパターンが得られる。ストリングパターンは、メイン打撃領域１３の外部では、市松模様とは異なる。その場合に交差するストリング部分は、ある程度長い矩形を形成する。
【００３０】
図３は、ヘッドフレーム２内に埋め込まれた保持ブラケット２０を拡大して示している。保持ブラケット２０とヘッドフレーム２の間に側方の間隙「Ｓ」が形成される。ヘッドフレーム２の内部に位置する、ヘッドフレーム２内に堅固に係止された固定部分２２が、適切に示唆されている。ストリング８が、ヘッドフレームから張り出す保持ブラケット２０のブラケット部分２４の２つの端部を締めつける。保持ブラケット２０は特に、しかし絶対ではないが、前端部の領域内に面取りした角部２９を有している。面取りした角部は、ヘッドフレーム内に孔を有する従来のラケットにおいて一般的であるように、ストリング８のこすれ及び鋭いエッジによるストリングの不用意な損傷を防止する。ヘッドフレームから張り出す保持ブラケット２０のブラケット部分２４のストリング方向変換面４６（ここにストリングの方向変換される部分が添接する）は、ヘッドフレームの周方向に保持ブラケット２０の対称平面４７から両側へ向かって少し下降する。この方向変換面は、好ましくはヘッドフレームの周方向において、打撃面へ向かう方向に、もしくはヘッドフレームの内側から離れる方向に湾曲しており、その場合に半径は８０−１５０ｍｍの領域内にある。
【００３１】
図４は、それぞれ予め定められた異なる長さＬ１とＬ５の第１のタイプの保持ブラケット２０と第５のタイプの保持ブラケット２０を示している。ボール打ち道具１の均一かつ実質的に市松模様のストリングの張りを形成するために、異なる長さＬが、通常実質的に楕円形状の種々のフレーム幾何学配置及び異なる大きさに適合させるために用いられる。そのために、通常、予め定められたより小さい長さを有する比較的大きい数の保持ブラケットと、予め定められたより大きい長さを有する比較的小さい数の保持ブラケットが必要とされる。
【００３２】
図５は、保持ブラケット２０の斜視図、前側に取り付けられたタイプを定める記号「２」を有する正面図及びこの保持ブラケット２０の上面図を示している。上面図は、対称ライン４７及びブラケット部分２４の面取りされた角部２９（図３を参照）を示している。保持ブラケット２０の固定部分２２の縦構造と横構造２６、２７の交点に、タイプを定める目的のための取り付けられた記号１４−ここでは記号「２」−が設けられている。タイプを定める目的のために取り付けられた記号１４は、保持ブラケット２０のタイプもしくは長さＬ１などを示している。取り付けられた記号１４は、実質的に識別するため、かつ後に位置決め及び保持装置３０（図７を参照）内で加工するために用いられる。固定部分２２（図３を参照）の縦構造と横構造２６、２７は、保持ブラケット２０をヘッドフレーム内に力及び形状結合で係止するために用いられ、かつその形状付与に関しては、使用されるプラスチックの、特に使用されるプリプレグチューブの材料及びその肉厚に最適に調節されている。実質的に重要なのは、プラスチックが相補形状で、空洞又は気泡なしで、保持ブラケット２０の外側に添接することである。そのためには、プリプレグチューブを膨らませる際の圧力も、使用される硬化温度と共に、それが保証されるように選択されなければならない。さらに、上述したパラメータは、それによってボール打ち道具の典型的な負荷のために必要な、ヘッドフレームとその中に埋め込まれた保持ブラケットとの間の力伝達が、力及び形状結合で吸収可能であるように、選択されなければならない。
【００３３】
図６と７は、下方の保持工具３２と上方の保持工具３４を示しており、それらが一緒になって保持装置３０を形成する。保持工具３２、３４の間に保持ブラケット２０を好ましいやり方で、正確な嵌め合いで挿入することができる。そのために、定められた数の保持ブラケット２０が、たとえば下方の保持工具３２内へ挿入されて、次に上方の保持工具３４が正確な嵌め合いでその上に乗せられる。下方の保持工具３２は、複数のねじ孔３５を有しており、それによって上方と下方の保持工具が互いに螺合可能であって、保持ブラケット２０は機械的な負荷に抗して所望の位置に保持される。保持工具は、複数の材料切り欠き３８を有することができる。本発明に係る教示に基づく成形及び硬化方法でボール打ち道具を形成した後に、保持装置３０の螺合３６を再び解除することができる。これは、保持装置３０が再使用可能であって、かつ大量生産方法の枠内で使用することができる、という利点を提供する。
【００３４】
図８は、ボール打ち道具１を形成するための下型５０を、挿入された、保持ブラケット２０を備えた保持装置３０と共に示している。下型５０の下方の端部に、圧縮空気入口５４が設けられており、本発明に係る形成方法において、その圧縮空気入口を介してプリプレグチューブ４、６（図１）を膨らませることができる。図９は、まだ離型しなければならないが、実質的にできあがった、ヘッドフレーム２、スロート１８及びグリップ１６を備えたシャフト１７並びにヘッドフレーム２内に堅固に係止された保持ブラケット２０を有する、ボール打ち道具１を斜視図で示している。
【００３５】
ここで指摘しておくが、上述した「一体型」構造の代わりに、ヘッドフレームと、別に形成されたシャフト及び／又はグリップ及び／又は開放又は閉鎖されたスロートとを有する構造も考えられる。これらすべての構造について、上で説明した本発明に係る措置が適用可能である。
【００３６】
図１０には、ヘッドフレーム２の横ウェブ４０の内部に埋め込まれた保持ブラケット２３のための代替的な実施形態が横断面で示されている。保持ブラケット２３は、横断面において半長円形状に形成されており、その場合により大きい弧半径を有する長い方の辺が固定部分として、より小さい弧半径を有する短い辺が、ヘッドフレームの内側においてそれを越えて自由に張り出すブラケット部分として用いられる。このブラケット部分は、打撃面の側から自由に接近することができ、すなわちこの自由な通路を介して、もしくはブラケット部分の自由な端部とこの自由な端部を向いた、ヘッドフレームの内側との間の間隙を介して、ボール打ち道具、たとえばテニスラケットのストリングの張りが行われる。その他において、上述した代替案の形成は、図１から８に示す実施形態の形成と同様に行われる。図１１には、さらに、挿入装置４４の例が示されており、その挿入装置によって保持ブラケットが正しい位置に保持され、かつ保持装置３０内へ挿入されるので、保持工具３２、３４を螺合する場合に保持ブラケット２０はその予め定められた位置を変えることはない。挿入装置４４は、保持装置３０内の保持ブラケット２０の位置決めを容易にする。
【符号の説明】
【００３７】
１    ボール打ち道具
２    ヘッドフレーム
４    第１のプリプレグチューブ
６    第２のプリプレグチューブ
８    張られたストリング
１０    ストリング部分の端部
１２    打撃面
１３    主要打撃領域
１４    記号
１６    グリップ
１７    シャフト
１８    スロート
２０    保持ブラケット
２１    内側半径
２２    固定部分
２３    保持ブラケット
２４    ブラケット部分
２５    ブラケット内側面
２６    縦構造
２７    横構造
２８    保持ブラケットの端部
２９    面取りされた角部
３０    保持装置
３２    下方の保持工具
３４    上方の保持工具
３５    ねじ孔
３６    螺合
３８    材料切り欠き
４０    二重壁横ウェブ
４２    壁部分
４４    挿入装置
４６    保持ブラケットのストリング方向変換面
４７    対称ライン／対称平面
５０    下型
５２    上型
５４    圧縮空気入口
Ｓ    間隙
Ｌ１−Ｌ５    本発明に係る保持ブラケット２０、２３の５つの異なるように予め定められた長さ
【図１】
2017523894.tif 000003
【図２】
2017523894.tif 000004
【図３】
2017523894.tif 000005
【図４】
2017523894.tif 000006
【図５】
2017523894.tif 000007
【図６】
2017523894.tif 000008
【図７】
2017523894.tif 000009
【図８】
2017523894.tif 000010
【図９】
2017523894.tif 000011
【図１０】
2017523894.tif 000012
【図１１】
2017523894.tif 000013
【国際調査報告】
2017523894.tif 000014
2017523894.tif 000015
2017523894.tif 000016
2017523894.tif 000017
2017523894.tif 000018
2017523894.tif 000019